(57)【要約】【課題】搬送ユニットが排出部に装着された状態で記録媒体に腰が付与されるのを抑制することが可能な記録媒体搬送装置およびそれを備えた画像形成装置を提供する。【解決手段】この用紙搬送装置（記録媒体搬送装置）は、用紙Ｓを排出する排出部１３を構成する排出ユニット４１と、排出ユニット４１により画定される用紙搬送路１１と、用紙Ｓを排出する複数の第１排出ローラー対１４ａと、用紙Ｓに腰を付与する腰付け部材５０と、腰付け部材５０を支持する支持部材７０と、排出部１３に対して選択的に着脱される中継搬送ユニット２０の排出部１３への装着に連動して、支持部材７０を回動させて、腰付け部材５０を用紙Ｓに当接する当接位置から用紙Ｓから離間する退避位置へ移動させる退避機構６０と、を備える。【選択図】図７
2018002360.tif 000002
【特許請求の範囲】
【請求項１】
記録媒体を排出する排出部を構成する排出ユニットと、
前記排出ユニットにより画定される排出搬送路と、
前記排出ユニットに回転可能に設けられ、記録媒体をニップして排出する複数の排出ローラー対と、
前記記録媒体の排出方向と直交する幅方向において前記排出ローラー対の間に設けられ、前記排出搬送路内に記録媒体厚み方向に突出して、前記排出ローラー対によりニップされた記録媒体に接触し前記記録媒体に腰を付与する腰付け部材と、
前記排出ユニットに排出方向上流側の両端部を回動可能に支持され、前記腰付け部材を支持する支持部材と、
前記排出ユニットに設けられ、前記排出部に対して選択的に着脱される搬送ユニットの前記排出部への装着に連動して、前記支持部材を回動させて、前記腰付け部材を前記記録媒体に当接する当接位置から、前記記録媒体から離間する退避位置へ移動させる退避機構と、
を備えることを特徴とする記録媒体搬送装置。
【請求項２】
前記退避機構は、前記排出ユニットに前記幅方向に移動可能に設けられ、前記搬送ユニットの装着に連動して第１の方向に移動し、取り外しに連動して前記第１の方向とは逆の第２の方向に移動する摺動部材を有し、
前記摺動部材は、前記第１の方向に沿って先下がりに傾斜する傾斜面を有するガイド突起を有し、
前記支持部材は、排出方向下流側の端部から突出し、前記摺動部材の前記ガイド突起に当接する当接片を有し、
前記搬送ユニットの前記排出部への装着に連動して、前記摺動部材が前記第１の方向に移動し前記当接片が前記傾斜面に沿って上方へ移動することによって、前記支持部材が前記排出搬送路から離間する方向へ回動し、前記腰付け部材が前記退避位置へ移動することを特徴とする請求項１に記載の記録媒体搬送装置。
【請求項３】
前記摺動部材を前記第２の方向に付勢する付勢部材を有し、
前記搬送ユニットの前記排出部からの取り外しに連動して、前記付勢部材の付勢力により前記摺動部材が前記第２の方向に移動し、前記支持部材の前記当接片が前記傾斜面に沿って下方へ移動することで、前記支持部材が前記排出搬送路へ近接する方向へ回動し、前記腰付け部材が記録媒体に腰を付与する前記当接位置に配置されることを特徴とする請求項２に記載の記録媒体搬送装置。
【請求項４】
前記退避機構は、前記搬送ユニットにより押圧されるレバー部と、前記排出ユニットに回転可能に軸支され、一端部が前記レバー部と連結され、他端部が前記摺動部材と連結される連結部材と、を有することを特徴とする請求項２または３に記載の記録媒体搬送装置。
【請求項５】
前記レバー部は、前記搬送ユニットが前記排出部に装着されていない状態で前記排出ユニットから突出し、前記搬送ユニットが前記排出部に装着される際に、前記搬送ユニットによって前記排出ユニットの内側に向けて押し込まれることを特徴とする請求項４に記載の記録媒体搬送装置。
【請求項６】
前記搬送ユニットは、前記排出ローラー対の回転軸の軸方向と平行な方向から前記排出部に装着されることを特徴とする請求項１〜５のいずれか１項に記載の記録媒体搬送装置。
【請求項７】
請求項１〜６のいずれか１項に記載の記録媒体搬送装置を備えることを特徴とする画像形成装置。
【発明の詳細な説明】
【技術分野】
【０００１】
本発明は、記録媒体搬送装置およびそれを備えた画像形成装置に関し、特に、記録媒体に腰を付与する腰付け部材を有する記録媒体搬送装置およびそれを備えた画像形成装置に関するものである。
【背景技術】
【０００２】
従来、プリンターやその複合機等の画像形成装置は、所定の画像形成処理を行って用紙（記録媒体）上にトナー像を形成する画像形成部と、用紙上のトナー像を加熱定着して用紙上に定着させる定着部と、加熱定着された用紙を外部に排出する用紙排出部とを含む。
【０００３】
加熱定着処理されたトナー像を担持する用紙は、熱によって変形し易く、用紙排出部に搬送される際にカールしてしまう（巻き癖が付いてしまう）ため、用紙排出部には、用紙のカールを矯正する手段として、用紙を排出ローラー対によって排出する際に用紙に腰を付与する腰付け部材が設けられる。腰付け部材は、用紙幅方向（用紙搬送方向と直交する方向）に複数配置され、用紙搬送方向と垂直な断面において用紙を波形状に変形させる。これにより、腰が付与された用紙は、カールが矯正された状態となるので、排紙トレイ上に整然と積載される。
【０００４】
また、従来、オプション装置として中継搬送ユニットや後処理装置などの搬送ユニットを用紙排出部に装着する画像形成装置が知られている。中継搬送ユニットや後処理装置の内部には、用紙排出部から排出された用紙を搬送する搬送ローラー対が設けられている。
【０００５】
なお、用紙排出部に腰付け部材が設けられた画像形成装置は、例えば特許文献１に開示されている。
【先行技術文献】
【特許文献】
【０００６】
【特許文献１】特開２００９−２０３０６１号公報
【発明の概要】
【発明が解決しようとする課題】
【０００７】
しかしながら、腰付け部材が用紙排出部に設けられた状態で、中継搬送ユニットや後処理装置を用紙排出部に装着すると、腰付けされた用紙が中継搬送ユニットや後処理装置に搬入され、用紙が用紙搬送路の壁面に強く摺擦するので、搬送不良や異音が発生するという問題点がある。
【０００８】
本発明は、上記のような課題を解決するためになされたものであり、本発明の目的は、搬送ユニットが排出部に装着された状態で記録媒体に腰が付与されるのを抑制することが可能な記録媒体搬送装置およびそれを備えた画像形成装置を提供することである。
【課題を解決するための手段】
【０００９】
上記目的を達成するために、本発明の第１の構成の記録媒体搬送装置は、記録媒体を排出する排出部を構成する排出ユニットと、排出ユニットにより画定される排出搬送路と、排出ユニットに回転可能に設けられ、記録媒体をニップして排出する複数の排出ローラー対と、記録媒体の排出方向と直交する幅方向において排出ローラー対の間に設けられ、排出搬送路内に記録媒体厚み方向に突出して、排出ローラー対によりニップされた記録媒体に接触し記録媒体に腰を付与する腰付け部材と、排出ユニットに排出方向上流側の両端部を回動可能に支持され、腰付け部材を支持する支持部材と、排出ユニットに設けられ、排出部に対して選択的に着脱される搬送ユニットの排出部への装着に連動して、支持部材を回動させて、腰付け部材を記録媒体に当接する当接位置から、記録媒体から離間する退避位置へ移動させる退避機構と、を備える。
【発明の効果】
【００１０】
本発明の第１の構成によれば、退避機構は、搬送ユニットの排出部への装着に連動して、支持部材を回動させて、腰付け部材を記録媒体に当接する当接位置から、記録媒体から離間する退避位置へ移動させる。これにより、搬送ユニットが排出部に装着された状態で腰付け部材により記録媒体に腰が付与されることがない。このため、搬送ユニットに搬入された記録媒体が搬送ユニット内の搬送路の壁面に強く摺擦するのを抑制することができるので、搬送不良や異音が発生するのを抑制することができる。
【図面の簡単な説明】
【００１１】
【図１】本発明の一実施形態の画像形成装置の内部構成を示す概略図である。
【図２】本発明の一実施形態の画像形成装置の排出部周辺の構造を示した断面図である。
【図３】本発明の一実施形態の画像形成装置の排出ユニットの構造を示した斜視図である。
【図４】本発明の一実施形態の画像形成装置の排出ユニットの構造を示した底面図である。
【図５】本発明の一実施形態の画像形成装置の排出部に中継搬送ユニットを装着している途中の状態を示した斜視図である。
【図６】本発明の一実施形態の画像形成装置の中継搬送ユニットの構造を示した図である。
【図７】本発明の一実施形態の画像形成装置の退避機構周辺の構造を示した斜視図である。
【図８】本発明の一実施形態の画像形成装置の退避機構の構造を示した斜視図である。
【図９】本発明の一実施形態の画像形成装置の退避機構の摺動部材の構造を示した斜視図である。
【図１０】本発明の一実施形態の画像形成装置の退避機構の摺動部材周辺の構造を示した斜視図である。
【図１１】本発明の一実施形態の画像形成装置の退避機構周辺の構造を示した斜視図である。
【図１２】本発明の一実施形態の画像形成装置の退避機構の摺動部材周辺の構造を下方から示した斜視図である。
【図１３】本発明の一実施形態の画像形成装置の支持部材および腰付け部材の構造を示した斜視図である。
【図１４】本発明の一実施形態の画像形成装置の支持部材および腰付け部材の構造を示した斜視図である。
【発明を実施するための形態】
【００１２】
以下、図面を参照しながら本発明の実施形態について説明する。図１は、本発明の一実施形態の用紙搬送装置（記録媒体搬送装置）を備える画像形成装置１００の内部構成を示す概略図である。なお、本実施形態においては画像形成装置１００の一例としてデジタル複合機を例示しているが、本発明の用紙搬送装置は、デジタル複合機以外の、例えばレーザープリンターやインクジェットプリンター、ファクシミリ装置等にも同様に適用可能である。
【００１３】
図１に示すように、画像形成装置（例えばモノクロ複合機）１００は、いわゆる胴内排紙型のデジタル複合機であって、画像形成装置１００本体の上部には、原稿の画像を電気信号として読み取る画像読取部１８が設けられている。画像読取部１８の上部には、プラテン（原稿押え）および原稿搬送装置（いずれも図示せず）が設けられている。
【００１４】
画像形成装置１００本体には、用紙（記録媒体）を収容する用紙収容部１０、用紙搬送路（排出搬送路）１１、用紙上にトナー画像を形成する画像形成部Ｐ、用紙上のトナー画像を定着するための定着装置９、定着後の用紙を搬送して画像形成装置１００本体から排出するための排出部１３が設けられている。
【００１５】
排出部１３は、下段排出口１３ａと上段排出口１３ｂとを有する。また、排出部１３には、下段排出口１３ａと上段排出口１３ｂとを画定する排出ユニット４１が設けられている。排出ユニット４１の下面には、定着装置９から搬送されてきた用紙を下段排出口１３ａへ導く搬送ガイド部１４１ａ（図２参照）が形成されており、排出ユニット４１の上面には、用紙を上段排出口１３ｂへ導く湾曲ガイド部１４１ｂ（図２参照）が形成されている。なお、排出ユニット４１周辺の詳細構造については、後述する。
【００１６】
また、画像形成装置１００本体には、左側面及び正面に向けて大きく開放された胴内排出空間１６が形成されており、この胴内排出空間１６には、オプション装置としての後述する中継搬送ユニット（搬送ユニット）２０（図５参照）が必要に応じて着脱される。
【００１７】
定着部９を通過した用紙は、用紙搬送路１１を通過し、下段排出口１３ａまたは上段排出口１３ｂに搬送される。切り替え爪１５によって下段排出口１３ａに搬送された用紙は、下段排出口１３ａに設けられた複数の第１排出ローラー対（排出ローラー対）１４ａによって胴内排出空間１６に向かって排出される。中継搬送ユニット２０が装着されていない場合、第１排出ローラー対１４ａによって排出された用紙は、胴内排出空間１６の底面１６ａ上に積載される。中継搬送ユニット２０が装着されている場合、第１排出ローラー対１４ａによって排出された用紙は、中継搬送ユニット２０内に搬入される。なお、第１排出ローラー対１４ａ周辺の詳細構造については、後述する。
【００１８】
一方、切り替え爪１５によって上段排出口１３ｂに搬送された用紙は、上段排出口１３ｂに設けられた複数の第２排出ローラー対１４ｂによって胴内排出空間１６の排出トレイ１７に積載される。又は、用紙の両面に画像を形成する場合は、第２排出ローラー対１４ｂによって、用紙の一部が一旦胴内排出空間１６内に突出させられる。その後、用紙は第２排出ローラー対１４ｂを逆回転させることにより反転搬送路１９に振り分けられ、画像面を反転させた状態で画像形成部Ｐに再搬送される。
【００１９】
次に、第１排出ローラー対１４ａおよび排出ユニット４１周辺の構造について詳細に説明する。
【００２０】
排出部１３の下段排出口１３ａには図２に示すように、用紙Ｓをニップして搬送する複数（ここでは４つ）の第１排出ローラー対１４ａが用紙幅方向（図２の紙面に対して垂直方向）に所定の間隔を隔てて配置されている。各第１排出ローラー対１４ａは、用紙搬送路１１の上側に配置される駆動ローラー３１と、下側に配置される従動ローラー３２と、を含んでいる。複数の駆動ローラー３１は、共通の（１本の）回転軸３１ａに固定されているとともに、回転軸３１ａの延びる方向（用紙幅方向）に沿って互いに所定間隔を隔てて配置されている。複数の従動ローラー３２は、個別の（ここでは４本の）回転軸３２ａにそれぞれ固定されているとともに、回転軸３２ａの延びる方向（用紙幅方向）に沿って互いに所定間隔を隔てて配置されている。
【００２１】
回転軸３１ａは、第１排出ローラー対１４ａ周辺における用紙搬送路１１の上面を構成する搬送ガイド部１４１ａに回転可能に支持されている。回転軸３２ａは、第１排出ローラー対１４ａ周辺における用紙搬送路１１の下面を構成する下ガイド部材４２に回転可能に支持されている。また、回転軸３２ａは、下ガイド部材４２に配置された圧縮コイルバネ４３によって上方に付勢されている。
【００２２】
第１排出ローラー対１４ａ同士の間には、用紙搬送路１１の上側に配置され、用紙搬送路１１内に下方向（用紙厚み方向）に突出する複数の腰付け部材５０が設けられている。複数の腰付け部材５０は、用紙幅方向に沿って互いに所定間隔を隔てて配置されており、腰付け部材５０と第１排出ローラー対１４ａの駆動ローラー３１とが用紙幅方向に隣接して交互に配置されている。
【００２３】
また、腰付け部材５０は、第１排出ローラー対１４ａのニップ部よりも下方に突出するように配置されており、第１排出ローラー対１４ａにニップされて搬送される用紙Ｓに当接し、用紙搬送方向と垂直な断面において（図２の左側から見て）用紙Ｓを波形状に変形させて用紙Ｓに腰を付与することが可能である。
【００２４】
排出部１３の上段排出口１３ｂには、用紙Ｓをニップして搬送する複数（ここでは４つ）の第２排出ローラー対１４ｂが用紙幅方向に所定の間隔を隔てて配置されている。各第２排出ローラー対１４ｂは、用紙搬送路１１の上側に配置される駆動ローラーと、下側に配置される従動ローラー３３と、を含んでいる。複数の駆動ローラーは、共通の（１本の）回転軸に固定されているとともに、回転軸の延びる方向に沿って互いに所定間隔を隔てて配置されている。複数の従動ローラー３３は、個別の（ここでは４本の）回転軸３３ａにそれぞれ固定されているとともに、回転軸３３ａの延びる方向に沿って互いに所定間隔を隔てて配置されている。回転軸３３ａは、排出ユニット４１の湾曲ガイド部１４１ｂに形成された後述する従動ローラー収容部４１ａに収容されているとともに回転可能に支持されている。また、回転軸３３ａは、湾曲ガイド部１４１ｂに配置された圧縮コイルバネによって上方に付勢されている。
【００２５】
湾曲ガイド部１４１ｂは、第２排出ローラー対１４ｂ周辺における用紙搬送路１１の下面を構成している。湾曲ガイド部１４１ｂの搬送面には図２および図３に示すように、用紙搬送方向に延びるとともに用紙搬送路１１内に突出するガイドリブ１４１ｃが、用紙幅方向に互いに所定間隔を隔てて複数設けられている。排出ユニット４１の所定位置には図３に示すように、複数の従動ローラー３３を収容する複数（ここでは４つ）の従動ローラー収容部４１ａが用紙幅方向に互いに所定間隔を隔てて設けられている。
【００２６】
図４に示すように、排出ユニット４１の搬送ガイド部１４１ａの所定位置には、駆動ローラー３１を収容する複数（ここでは４つ）の駆動ローラー収容部４１ｂが設けられている。また、搬送ガイド部１４１ａの駆動ローラー収容部４１ｂ同士の間の部分には、腰付け部材５０を収容する複数（ここでは３つ）の腰付け部材収容部４１ｃが設けられている。なお、腰付け部材５０は、後述する支持部材７０に支持されている。
【００２７】
また、排出ユニット４１の用紙搬送方向下流側（図２の左側）の端部は、排出トレイ１７が着脱可能に形成されている。なお、図５に示すように、中継搬送ユニット２０を排出部１３に装着する際には、排出トレイ１７は排出ユニット４１から取り外される。
【００２８】
中継搬送ユニット２０は、画像形成装置１００本体の正面側（図１の紙面手前側、第１排出ローラー対１４ａの回転軸３１ａの軸方向と平行な方向）から排出部１３に装着可能に構成されている。中継搬送ユニット２０は図６に示すように、複数の搬送ローラー対２１を有し、第１排出ローラー対１４ａからの用紙Ｓを、中継搬送ユニット２０の搬送方向下流側（図６の左側）に配置されパンチ穴形成や綴じ処理などを行う後処理装置（図示せず）に向かって搬送する。なお、中継搬送ユニット２０の上面２０ａは、第２排出ローラー対１４ｂによって排出される用紙Ｓが積載される排出トレイとして機能する。
【００２９】
また、排出ユニット４１の搬送ガイド部１４１ａの下面には図３に示すように、中継搬送ユニット２０の排出部１３への装着に連動して腰付け部材５０を退避させる退避機構６０が設けられており、排出ユニット４１の内部には、複数の腰付け部材５０を支持するとともに退避機構６０に係合する支持部材７０が収容されている。
【００３０】
退避機構６０は図７および図８に示すように、排出ユニット４１の用紙幅方向外側に突出するとともに用紙幅方向に移動するレバー部６１と、レバー部６１に係合する連結部材６２と、連結部材６２に係合しレバー部６１とは反対方向に移動する摺動部材６３と、これらを保持する排出ユニット４１の保持部１４１ｄ（搬送ガイド部１４１ａの一部）（図７参照）と、によって構成されている。
【００３１】
レバー部６１は図５に示すように、中継搬送ユニット２０が排出部１３に装着される際に、中継搬送ユニット２０によって排出ユニット４１の用紙幅方向内側（中継搬送ユニット２０の装着方向、第２の方向）に向かって押し込まれる。連結部材６２は図７および図８に示すように、排出ユニット４１に設けられた図示しない挿入穴にボス６２ａが挿入され、ボス６２ａを中心として回動可能に排出ユニット４１に支持されている。連結部材６２は、一端部がレバー部６１に連結され、他端部が摺動部材６３に連結され、レバー部６１の作用を摺動部材６３に伝達する。
【００３２】
摺動部材６３は図７および図９に示すように、用紙幅方向に長尺な、上方に開口した断面コの字形状に形成されている。摺動部材６３の一端部（連結部材６２側の端部）には、連結部材６２の長穴に挿入される係合突起６３ａが形成されている。また、摺動部材６３には、スナップフィット形状の３つの係合片６３ｂが形成されており、図１０〜図１２に示すように係合片６３ｂによって排出ユニット４１の保持部１４１ｄの下面に用紙幅方向に摺動可能に取り付けられている。摺動部材６３の用紙搬送方向上流側の側面の上端には図９に示すように、摺動部材６３の移動方向（用紙幅方向）に沿って傾斜する傾斜面６３ｃを有する複数（ここでは３つ）のガイド突起６３ｄからなる鋸歯形状が形成されている。傾斜面６３ｃは、中継搬送ユニット２０の装着方向上流側（第１の方向）に向かって先下がりに傾斜している。
【００３３】
図１１、図１３および図１４に示すように、支持部材７０の用紙搬送方向下流側の端部には、摺動部材６３のガイド突起６３ｄに係合する複数（ここでは３つ）の当接片７０ａが突出して形成されている。なお、図７および図１０では、当接片７０ａは省略されている。また、支持部材７０の用紙搬送方向上流側の両端部には、排出ユニット４１に回動可能に支持される２つの回動軸７０ｂが設けられている。摺動部材６３が中継搬送ユニット２０の装着方向上流側（第１の方向）に移動すると、当接片７０ａがガイド突起６３ｄの傾斜面６３ｃに沿って上方に移動し、支持部材７０の用紙搬送方向下流側の端部（自由端）が用紙搬送路１１から離間する方向へ揺動する。これにより、後述するように、腰付け部材５０は、第１排出ローラー対１４ａのニップ部よりも上方の退避位置に移動し、用紙Ｓに接触しなくなる。なお、支持部材７０の上面は、２つの圧縮コイルバネからなる付勢部材７１（図７参照）によって下側に付勢されている。
【００３４】
支持部材７０には図１３および図１４に示すように、３つの腰付け部材５０が用紙幅方向に等間隔で取り付けられている。腰付け部材５０の用紙搬送方向上流側端部および下流側端部には、上方に突出し支持部材７０に係合する上流側フック部５１および下流側フック部５２がそれぞれ形成されている。上流側フック部５１および下流側フック部５２は、支持部材７０に形成された係合穴（図示せず）に係合している。腰付け部材５０と支持部材７０との間には、圧縮コイルバネからなる付勢部材（図示せず）が配置され、腰付け部材５０は用紙搬送路１１に向かって付勢されている。なお、腰付け部材５０は、厚紙（厚い用紙Ｓ）が通過する際に退避できるように、図１３および図１４の状態から支持部材７０に対して上方に移動可能に構成されている。
【００３５】
胴内排出空間１６に中継搬送ユニット２０を装着する場合、排出ユニット４１から排出トレイ１７を取り外す。そして、中継搬送ユニット２０を、画像形成装置１００本体の正面側から排出部１３に装着する。このとき、中継搬送ユニット２０がレバー部６１に当接し、レバー部６１を排出ユニット４１の内側（第２の方向）に向かって押し込む。これにより、連結部材６２がボス６２ａを中心として図７の時計回り方向に回動し、摺動部材６３がレバー部６１とは反対方向（中継搬送ユニット２０の装着方向上流側、第１の方向）に移動する。
【００３６】
摺動部材６３の装着方向上流側への移動に伴って、支持部材７０の当接片７０ａが摺動部材６３の傾斜面６３ｃに沿って上方に移動し、支持部材７０が付勢部材７１の付勢力に抗して用紙搬送路１１から離間する方向へ回動する。これにより、腰付け部材５０は、用紙Ｓに当接する当接位置から、用紙Ｓから離間する退避位置へ移動し、用紙Ｓに接触しなくなる。
【００３７】
以上のように、中継搬送ユニット２０の排出部１３への装着に連動して、支持部材７０が用紙搬送路１１から離間する方向へ移動し、腰付け部材５０が退避する。
【００３８】
一方、中継搬送ユニット２０を排出部１３から取り外す場合、中継搬送ユニット２０が取り外される（引き出される）と、付勢部材７１の付勢力によって、支持部材７０、摺動部材６３、連結部材６２およびレバー部６１が中継搬送ユニット２０を装着する時とは逆方向に移動し、中継搬送ユニット２０を装着する前の位置に戻る。このとき、支持部材７０が用紙搬送路１１に接近するように揺動するので、腰付け部材５０は、用紙搬送路１１内に突出し第１排出ローラー対１４ａのニップ部よりも下方の位置（当接位置）に移動する。
【００３９】
以上のように、中継搬送ユニット２０の排出部１３からの取り外しに連動して、支持部材７０が用紙搬送路１１に接近する方向へ揺動し、腰付け部材５０が用紙Ｓに腰を付与する当接位置（中継搬送ユニット２０を装着する前の位置）に戻る。
【００４０】
本実施形態では、上記のように、退避機構６０は、中継搬送ユニット２０の排出部１３への装着に連動して、支持部材７０を回動させて、腰付け部材５０を用紙Ｓに当接する当接位置から、用紙Ｓから離間する退避位置へ移動させる。これにより、中継搬送ユニット２０が排出部１３に装着された状態で腰付け部材５０により用紙Ｓに腰が付与されることがない。このため、中継搬送ユニット２０に搬入された用紙Ｓが中継搬送ユニット２０内の搬送路の壁面に強く摺擦するのを抑制することができるので、搬送不良や異音が発生するのを抑制することができる。
【００４１】
また、退避機構６０は、支持部材７０を回動させることによって、腰付け部材５０を用紙Ｓから離間する退避位置へ移動させる。これにより、１つの支持部材７０を回動させるだけで、複数の腰付け部材５０を退避させることができる。
【００４２】
また、上記のように、中継搬送ユニット２０の排出部１３への装着に連動して、摺動部材６３が装着方向上流側（第１の方向）移動し当接片７０ａが傾斜面６３ｃに沿って上方へ移動することによって、支持部材７０が用紙搬送路１１から離間する方向へ回動し、腰付け部材５０が退避位置へ移動する。これにより、中継搬送ユニット２０の排出部１３への装着に連動して、容易に、腰付け部材５０を用紙Ｓから離間する退避位置へ移動させることができる。
【００４３】
また、上記のように、中継搬送ユニット２０の排出部１３からの取り外しに連動して、付勢部材７１の付勢力により摺動部材６３が装着方向下流側（第２の方向）に移動し、腰付け部材５０が用紙Ｓに当接して腰を付与する当接位置に配置される。これにより、中継搬送ユニット２０の排出部１３からの取り外した状態で、腰付け部材５０によって容易に用紙Ｓに腰を付与することができる。
【００４４】
また、上記のように、退避機構６０は、中継搬送ユニット２０により押圧されるレバー部６１と、一端部がレバー部６１と連結され、他端部が摺動部材６３と連結される連結部材６２と、を有する。これにより、中継搬送ユニット２０の排出部１３への装着に連動して、容易に、支持部材７０を用紙搬送路１１から離間する方向へ移動させることができる。
【００４５】
また、上記のように、レバー部６１は、中継搬送ユニット２０が排出部１３に装着される際に、中継搬送ユニット２０によって排出ユニット４１の内側に向けて押し込まれる。これにより、中継搬送ユニット２０の排出部１３への装着に連動して、退避機構６０を容易に作動（移動）させることができる。
【００４６】
また、上記のように、中継搬送ユニット２０は、画像形成装置１００本体の正面側から排出部１３に装着される。中継搬送ユニット２０を画像形成装置１００本体の正面側から排出部１３に装着する場合において、支持部材７０を用いずに複数の腰付け部材５０を退避させようとしても、装着方向下流側の腰付け部材５０を退避させることは困難である。しかしながら、支持部材７０を用いることによって、支持部材７０の装着方向上流側の部分のみに退避機構６０を当接（接触）させれば、全ての腰付け部材５０を容易に退避させることができる。このため、中継搬送ユニット２０を画像形成装置１００本体の正面側から排出部１３に装着する場合に、支持部材７０を用いて複数の腰付け部材５０を退避させることは、特に効果的である。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
例えば、モノクロ複合機に本発明を適用した例について示したが、本発明はこれに限らない。言うまでもなく、カラー複合機、モノクロプリンター、カラープリンター、ファクシミリ等の、記録媒体に腰を付与する腰付け部材を備えた種々の画像形成装置に本発明を適用できる。
【００４９】
また、上記実施形態では、排出部１３に装着する搬送ユニットとして中継搬送ユニット２０を例に挙げて説明したが、本発明はこれに限らず、排出部１３に装着する搬送ユニットとして後処理装置を適用してもよい。
【符号の説明】
【００５０】
１１  用紙搬送路（排出搬送路）
１３  排出部
１４ａ  第１排出ローラー対（排出ローラー対）
２０  中継搬送ユニット（搬送ユニット）
３１ａ  回転軸
４１  排出ユニット
５０  腰付け部材
６０  退避機構
６１  レバー部
６３  摺動部材
６３ｃ  傾斜面
６３ｄ  ガイド突起
７０  支持部材
７０ａ  当接片
７１  付勢部材
１００  画像形成装置
Ｓ  用紙（記録媒体）
【図１】
2018002360.tif 000003
【図２】
2018002360.tif 000004
【図３】
2018002360.tif 000005
【図４】
2018002360.tif 000006
【図５】
2018002360.tif 000007
【図６】
2018002360.tif 000008
【図７】
2018002360.tif 000009
【図８】
2018002360.tif 000010
【図９】
2018002360.tif 000011
【図１０】
2018002360.tif 000012
【図１１】
2018002360.tif 000013
【図１２】
2018002360.tif 000014
【図１３】
2018002360.tif 000015
【図１４】
2018002360.tif 000016